(57)【要約】【課題】必要のないバッテリへの充電を省いて消費電力の低減を図ると共に、バッテリの性能を劣化させない無停電電源装置を得る。【解決手段】交流入力電圧が正常である場合は、充電器１２によりバッテリ１６を充電する。交流入力電圧が低下若しくは停電すると、バッテリ１６から負荷に電力を供給する。バッテリ１６はリチウムイオン電池からなり、さらにバッテリ１６の充電が完了すると、充電器１２の動作を停止させる充電器制御回路３１を備えている。【選択図】　図１
2004064975.tif 000002
【特許請求の範囲】
【請求項１】
入力電圧が正常である場合は、充電器によりバッテリを充電し、前記入力電圧が低下若しくは停電すると、前記バッテリから負荷に電力を供給する無停電電源装置において、前記バッテリはリチウムイオン電池からなると共に、前記バッテリの充電が完了すると、前記充電器の動作を停止させる充電器制御回路を備えたことを特徴とする無停電電源装置。
【請求項２】
前記充電器制御回路は、前記入力電圧が正常に立ち上がると、一定時間後に前記充電器の動作を停止させるタイマ手段を備えたことを特徴とする請求項１記載の無停電電源装置。
【請求項３】
前記充電器制御回路は、前記バッテリの充電電流が一定値以下になると、前記充電器の動作を停止させる動作停止手段を備えたことを特徴とする請求項１記載の無停電電源装置。
【請求項４】
前記充電器制御回路は、前記バッテリの充電電圧が一定値以上になると、前記充電器の動作を停止させる動作停止手段を備えたことを特徴とする請求項１記載の無停電電源装置。
【請求項５】
前記充電器制御回路は、前記充電器の動作停止時に前記バッテリの充電電圧が第１の電圧レベルにまで低下すると、前記充電器の動作を開始させるように構成したことを特徴とする請求項１〜４のいずれか一つに記載の無停電電源装置。
【請求項６】
前記充電器制御回路は、前記バッテリの充電電圧が第１の電圧レベルにまで低下して、前記充電器の動作を開始させた後、前記バッテリの充電電圧が第１の電圧レベルよりも高い第２の電圧レベルに上昇すると、再び前記充電器の動作を停止させるように構成したことを特徴とする請求項５記載の無停電電源装置。
【発明の詳細な説明】
【０００１】
【発明の属する技術分野】
本発明は、停電バックアップ用のバッテリと、このバッテリを充電する充電器を内蔵した無停電電源装置に関する。
【０００２】
【発明が解決しようとする課題】
図４は、負荷に交流電力を供給する従来の無停電電源装置（ＵＰＳ）のブロック構成図を示している。同図において、１は装置に交流入力電圧を給電する例えばＡＣ１００Ｖの交流電源、２は負荷（図示せず）への給電を切換える切換スイッチであって、交流電源１からの交流入力電圧を直接負荷に供給するためのバイパスライン３が、交流電源１と切換スイッチ２の一つの入力端子との間に設けられる。また、このバイパスライン３とは別に、安定化した交流電圧を負荷に供給するために、交流電源１からの交流入力電圧を整流して直流電圧に変換する整流器４と、整流器４若しくは後述するバッテリ１１からの直流電圧を交流に変換するインバータ５とを直列接続したものが、交流電源１と切換スイッチ２の他の入力端子との間に設けられる。これにより、切換スイッチ２の接点を一方の入力端子に接続すると、交流電源１からの交流入力電圧が、そのまま切換スイッチ２を通して負荷に送られる。また、切換スイッチ２の接点を他方の入力端子に接続すると、インバータ５からの直流電圧が切換スイッチ２を通して負荷に送られるようになっている。
【０００３】
１１は停電バックアップ用の電源であるバッテリで、これは一般に複数のセルを直流に積み重ねた充放電可能な鉛電池により構成される。また、バッテリ１１を充電するために、交流電源１からの交流入力電圧を直流電圧に変換してバッテリ１１に供給する充電器１２が、交流電源１とバッテリ１１との間に接続される。さらに、前記整流器４からインバータ５に至る直流電圧ライン７と、充電器１２からバッテリ１１に至る直流電圧ライン１３との間に、直流切換スイッチ１４が接続される。
【０００４】
そして、交流電源１からの交流入力電圧が通常の電圧レベルであれば、直流切換スイッチ１４をオフにして、交流入力電圧をそのまま負荷に供給するか、さもなければ図４の実線矢印で示すように、交流入力電圧を整流器４により整流して直流電圧に変換し、この直流電圧をインバータ５で所望の交流電圧（例えばＡＣ１００Ｖ）に変換して負荷に供給する。それと共に、前記交流入力電圧を充電器１２により直流電圧に変換してバッテリ１１に供給し、バッテリ１１を充電させる。一方、交流入力電圧が例えば停電などで所定の電圧レベルを下回ると、直流切換スイッチ１４をオンに切換え、図４の点線矢印で示すように、バッテリ１１からの直流電圧をインバータ５により所望の交流電圧に変換して、この交流電圧を負荷に供給するようになっている。
【０００５】
図５は、負荷に直流電力を供給する従来の無停電電源装置（ＤＣ−ＵＰＳ）のブロック構成図を示している。この場合は、前記インバータ５に代わって、負荷に一乃至複数の所望の直流電圧を供給するためのＤＣ／ＤＣコンバータ２１が接続される。また、整流器４からの直流出力がバッテリ１１に入り込まないように、整流器４からインバータ５に至る直流電圧ライン７と、充電器１２からバッテリ１１に至る直流電圧ライン１３との間には、一方向導通素子であるダイオード２２が接続されると共に、バッテリ１１からの充電電圧が充電器１２に逆流しないように、直流電圧ライン１３には別のダイオード２３が挿入接続される。
【０００６】
そして、交流電源１からの交流入力電圧が通常の電圧レベルであれば、図５の実線矢印で示すように、交流入力電圧を整流器４により整流して直流電圧に変換し、この直流電圧をＤＣ／ＤＣコンバータ２１で所望の直流電圧（例えばＤＣ２４Ｖ，ＤＣ１２Ｖ，ＤＣ５Ｖなど）に変換して負荷に供給する。また、その場合はダイオード２２がオフするので、前記交流入力電圧が充電器１２により直流電圧に変換され、この直流電圧がダイオード２３を通じてバッテリ１１に与えられ、バッテリ１１は充電される。一方、交流入力電圧が例えば停電などで所定の電圧レベルを下回ると、バッテリ１１の充電電圧が整流器４からの出力電圧レベルよりも高くなり、ダイオード２２が導通してこのバッテリ１１の充電電圧が直流電圧としてＤＣ／ＤＣコンバータ２１に供給される。これにより、バッテリ１１の容量が許す限り、ＤＣ／ＤＣコンバータ２１から所望の直流電圧が負荷に供給される。
【０００７】
以上のように、上記図４および図５の構成では、いずれも交流入力電圧の正常時において充電器１２が常時動作しており、バッテリ１１は常に充電器１２からの直流電圧が充電され得る充電状態となっている。その理由は、バッテリ１１である鉛電池の特性によるもので、鉛電池は自己放電が進むと容量が低下し、その後容量が回復できなくなったり、寿命が短くなったり、停電時における放電スペックを満足できなくなったり、各セルの電圧バラツキが大きくなって劣化が進むからである。つまり、従来の無停電電源装置は、バッテリ１１である鉛電池の自己放電による容量低下を防止し、かつ電解液を活性化させるために、常時バッテリ１１を充電してその容量を維持する必要がある。しかし、それでは装置としての消費電力の低減が図れないという問題があった。
【０００８】
本発明は、上記の課題に着目して成されたものであって、その目的は、必要のないバッテリへの充電を省いて消費電力の低減を図ると共に、バッテリの性能を劣化させない無停電電源装置を得ることにある。
【０００９】
【課題を解決するための手段】
本発明の請求項１の無停電電源装置では、入力電圧が正常である場合は、充電器によりバッテリを充電し、前記入力電圧が低下若しくは停電すると、前記バッテリから負荷に電力を供給する無停電電源装置において、前記バッテリはリチウムイオン電池からなると共に、前記バッテリの充電が完了すると、前記充電器の動作を停止させる充電器制御回路を備えている。
【００１０】
この場合、バッテリはリチウムイオン電池からなるので、自己放電が殆どなく、常に充電させなくても寿命の低下は起こらない。こうしたバッテリの特性を利用して、バッテリの充電が完了すると、充電器の動作を停止させる充電器制御回路を設けると、バッテリの充電が必要なときにのみ充電器が動作し、それ以外は充電器によるバッテリへの充電を停止するので、バッテリの性能を劣化させずに、消費電力の低減を図ることができる。
【００１１】
バッテリの充電が完了したか否かを判断する手段は幾つか考えられるが、特に請求項２の無停電電源装置では、前記入力電圧が正常に立ち上がると、一定時間後に前記充電器の動作を停止させるタイマ手段を充電器制御回路に備えている。
【００１２】
これは、バッテリであるリチウムイオン電池の特性を利用している。リチウムイオン電池は、完全に放電した状態からフル充電になるまでの時間、すなわち充電が完了するまでの時間が安定しているので、バッテリの充電が完了したか否かを判断する上で、バッテリの充電電圧や充電電流を直接監視する必要がない。したがって、少なくともバッテリの充電完了時間よりも長くタイマ手段の一定時間を設定するだけで、簡単な構成でありながら必要な時にのみバッテリを確実に充電させることができる。
【００１３】
本発明の請求項３の無停電電源装置では、前記バッテリの充電電流が一定値以下になると、前記充電器の動作を停止させる動作停止手段を充電器制御回路に備えている。
【００１４】
この場合は、バッテリの充電が完了したか否かを、バッテリ自身の充電電流によって直接的に判断することができる。これにより、バッテリの充電電流を検出するだけで、必要な時にのみバッテリを確実に充電させることができる。
【００１５】
本発明の請求項４の無停電電源装置では、前記バッテリの充電電圧が一定値以上になると、前記充電器の動作を停止させる動作停止手段を充電器制御回路に備えている。
【００１６】
この場合は、バッテリの充電が完了したか否かを、バッテリ自身の充電電圧によって直接的に判断することができる。これにより、バッテリの充電電圧を検出するだけで、必要な時にのみバッテリを確実に充電させることができる。
【００１７】
本発明の請求項５の無停電電源装置では、前記充電器の動作停止時に前記バッテリの充電電圧が第１の電圧レベルにまで低下すると、前記充電器の動作を開始させるように前記充電器制御回路を構成している。
【００１８】
バッテリは必要な時にのみ充電されるので、長期未充電に起因する自己放電によりバッテリの充電電圧が次第に低下する。したがって、バッテリの充電電圧が第１の電圧レベルにまで低下したら、充電器の動作を開始させることで、バッテリの充電を定期的に行なうことが可能になる。
【００１９】
本発明の請求項６の無停電電源装置では、前記バッテリの充電電圧が第１の電圧レベルにまで低下して、前記充電器の動作を開始させた後、前記バッテリの充電電圧が第１の電圧レベルよりも高い第２の電圧レベルに上昇すると、再び前記充電器の動作を停止させるように前記充電器制御回路を構成している。
【００２０】
この場合、バッテリの充電電圧が自己放電により低下して、第１の電圧レベルに達すると充電器による充電が開始する。そしてこの充電は、第１の電圧レベルよりも高い第２の電圧レベルにまでバッテリの充電電圧が上昇するまで継続するので、バッテリをフル充電に近い状態で定期的に充電することが可能になる。
【００２１】
【発明の実施形態】
以下、本発明における好ましい実施態様について、添付図面を参照して詳細に説明する。なお、前記図４および図５と同一箇所には同一符号を付し、共通する部分の説明は重複するため省略する。
【００２２】
図１は、装置の全体構成を示す回路図であって、この図１では負荷の所望の交流電圧を供給する無停電電源装置を対象としている。後述する充電器制御回路３１を除く電力供給用の主回路は、図４で示したものと概ね共通しているが、停電バックアップ時の電源であるバッテリ１６は、鉛電池ではなくリチウムイオン電池である点が注目される。すなわちリチウムイオン電池は、自己放電が殆どなく、したがって単体で放置しても寿命の低下を起こさない。しかも放電後の開放状態で長期間放置した後でも、その容量を１００％回復できる特性を有している。また、バッテリ１６の充電電圧が充電器１２に逆流しないように、直流電圧ライン１３にはダイオード２３が挿入接続される。交流入力電圧の正常時および停電時（低下時含む）において、負荷に所望の電力を供給する動作は、図４に対応した従来例の説明と同じである。
【００２３】
３１は、充電器１６を動作させるか否かを制御判断する充電器制御回路である。この充電器制御回路３１は、交流電源１からの交流入力電圧の有無を検出する入力電圧検出回路３２と、交流入力電圧が例えば交流電源１の投入や停電復帰に伴ない立ち上がると、一定時間Ｔ後にタイマオン信号を出力するタイマ手段３３と、バッテリ１６の充電電圧を検出するバッテリ電圧検出回路３４と、前記タイマ手段３３からタイマオン信号が出力され、かつバッテリ電圧検出回路３４によりバッテリ１６の電圧が第１の電圧レベルＶ１にまで低下しないときに限り、充電器１２の動作を停止する充電器停止信号を供給し、それ以外の場合には充電器１２を動作させる充電器動作信号を供給する充電器制御信号出力手段たるＡＮＤ回路３５とを備えて構成される。
【００２４】
充電器制御回路３１の構成をより具体的に説明すると、入力電圧検出回路３２は、交流入力電圧を半波整流するダイオード３８とコンデンサ３９からなる整流回路と、交流入力電圧の整流出力を分圧するために直列接続された分圧抵抗４１，４２，４３と、抵抗４２，４３の接続点の電位が第１の基準電源４４の基準電圧より高ければ、出力端子が「Ｈ（高）」レベルとなり、そうでなければ「Ｌ（低）」レベルとなる第１の比較器としてのコンパレータ４５と、コンパレータ４５の増幅率を決める帰還抵抗４６と、コンパレータ４５の出力端子に現れる比較結果の電圧を分圧する直列接続された分圧抵抗４７，４８と、分圧抵抗４７，４８の接続点の電位が「Ｌ」レベルのときにはオフし、「Ｈ」レベルのときにはオンするスイッチ素子としてのトランジスタ４９と、トランジスタ４９のコレクタに接続する電流制限用の抵抗５０とにより構成され、トランジスタ４９がオンすると後述するタイマ手段３３のリレーに励磁電流が流れるようになっている。
【００２５】
またタイマ手段３３は、図２のタイミングチャートに示すように、リレー５１と、このリレー５１に励磁電流が流れてから一定時間Ｔ後にオフからオンに切換わり、リレー５１を流れる励磁電流が途絶えると同時にオンからオフに切換わるスイッチ５２とを備えて構成される。ここでの一定時間Ｔは、バッテリ１６の特性を考慮して設定する。すなわち、完全放電状態にあるバッテリ１６がフル充電するまでの時間よりも長く設定するのが望ましい。
【００２６】
またバッテリ電圧検出回路３４は、前記タイマ手段３３のスイッチ５２がオンすると、整流器４からの出力電圧が動作電圧Ｖｃｃとして与えられる直列接続された分圧抵抗５５，５６と、バッテリ１６の充電電圧を分圧するための直列接続された別の分圧抵抗５７，５８と、この分圧抵抗５７，５８の接続点の電位が第２の基準電源５９の基準電圧より高ければ、出力端子が「Ｈ」レベルとなり、そうでなければ「Ｌ」レベルとなる第２の比較器としてのコンパレータ６０と、コンパレータ６０の増幅率を決める帰還抵抗６１と、コンパレータ６０の出力端子にカソードが接続されるダイオード６２と、前記動作電圧Ｖｃｃラインとダイオード６２のアノードとの間に接続する電流制限用の抵抗６３とからなり、ダイオード６２と抵抗６３の接続点に発生するバッテリ電圧検出信号Ｂｓと、分圧抵抗５５，５６の接続点から出力される交流電圧検出信号Ａｓを、ＡＮＤ回路３５の各入力端子に印加するように構成している。そして本実施例では、「Ｈ」レベルの充電器停止信号、若しくは「Ｌ」レベルの充電器動作信号のいずれかが、ＡＮＤ回路３５の出力端子から充電器１２に供給される。
【００２７】
次に、上記構成についてその作用を図３のタイミングチャートを基にして説明する。なお、図３において、最上段にある「ＡＣ」は交流入力電圧の波形であり、以下、「ＣＨＧ出力」は充電器１３からの直流電圧の供給状態を示す波形，「Ｖｃｃ」は前記動作電圧Ｖｃｃの波形，「リレー５１」はリレー５１を流れる電流波形，「スイッチ５２」はスイッチ５２を流れる波形，「Ａｓ」は分圧抵抗５５，５６の接続点から出力される交流電圧検出信号の電圧波形，「バッテリ電圧」はバッテリ１６の充電電圧すなわちバッテリ電圧，「Ｂｓ」はダイオード６１と抵抗６２の接続点に発生するバッテリ電圧検出信号の電圧波形，「ＣＨＧ信号」はＡＮＤ回路３５の出力端子から充電器１２に供給される制御信号の電圧波形をそれぞれ示している。
【００２８】
先ず、交流電源１が投入され、通常の交流入力電圧が装置に印加されると、交流入力電圧と共に整流器４からの直流電圧ひいては動作電圧Ｖｃｃが立ち上がる。これにより、充電器制御回路３１を構成するコンパレータ４５の出力端子は「Ｈ」レベルになり、トランジスタ４９はターンオンしてリレー５１に励磁電流が流れ込む。タイマ手段３３は、リレー５１に励磁電流が流れ始めたことを受けてカウントを開始するが、一定時間Ｔが経過するまではスイッチ５２をオフ状態に維持しているので、分圧抵抗５５，５６の接続点に生じる交流電圧検出信号Ａｓは「Ｌ」レベルになる。したがって、バッテリ電圧検出信号Ｂｓの電圧レベルに拘らず、充電器制御回路３１から充電器１２に「Ｌ」レベルの充電器動作信号が供給され、充電器１２は交流入力電圧を直流電圧に変換するように動作する。これは、図３における充電器動作期間Ａに相当する。
【００２９】
その後、一定時間Ｔが経過すると、タイマ手段３３のスイッチ５２がオフからオンに切換わり、交流電圧検出信号Ａｓは「Ｈ」レベルに転じる。そのとき、図３の充電器動作期間Ａの直後に示すように、バッテリ１６の充電電圧が第１の電圧レベルＶ１にまで低下していなければ、コンパレータ６０の出力端子ひいてはバッテリ電圧検出信号Ｂｓは「Ｈ」レベルになっているので、充電器制御回路３１から「Ｈ」レベルの充電器停止信号が供給され、充電器１２の動作は停止する。このように、交流電源１の投入後所定時間Ｔが経過した時点で、バッテリ１６がある程度充電されていれば、充電器１２の動作が停止するので、不必要な充電を強制的に止めて消費電力の低減を図ることができる。
【００３０】
なお、タイマ手段３３の計時ではなく、バッテリ１６の充電電流や充電電圧を監視して、充電器動作信号や充電器停止信号を出力する構成としてもよいが、バッテリ１６の充電電流や充電電圧はその変化が微妙であり、監視部にある程度の精度が要求される。バッテリ１６がリチウムイオン電池の場合、完全に放電した状態からフル充電までの時間は比較的安定しているので、本実施例のようにバッテリ１６の充電時間を考慮して所定時間Ｔを設定するのが、回路構成を単純にできて好ましい。
【００３１】
一方、交流入力電圧が停電（若しくは低下）して、直流切換スイッチ１４がオンすると、バッテリ１６の充電電圧が直流電圧としてインバータ５に印加され、このインバータ５にて変換された所望の交流電圧が、引続き負荷に供給される。したがって、交流入力電圧は停電するものの、動作電圧Ｖｃｃはバッテリ１６からの直流電圧により充電器制御回路３１に供給され続ける。
【００３２】
交流入力電圧が停電すると、図３に示すように、リレー５１を流れる励磁電流はトランジスタ４９がターンオフすることにより遮断され、スイッチ５２はそこですぐにオフする。したがって、分圧抵抗５５，５６の接続点に生じる交流電圧検出信号Ａｓは「Ｌ」レベルになり、バッテリ電圧検出信号Ｂｓの電圧レベルに拘らず、充電器制御回路３１から「Ｌ」レベルの充電器動作信号が供給され、充電器１２はその動作を開始する。また停電期間中は、バッテリ１６が放電するのでバッテリ電圧は低下し、第１の電圧レベルＶ１よりもバッテリ電圧が低下すると、コンパレータ６０の出力端子が「Ｌ」レベルに転じて、バッテリ電圧検出信号Ｂｓも「Ｌ」レベルに切換わる。
【００３３】
やがて、停電復帰して交流入力電圧が立ち上がると、リレー５１に励磁電流が流れることを受けてタイマ手段３３は一定時間Ｔの計時を開始する。また整流器４から再び直流電圧が出力されるのに伴ない、動作中の充電器１２からはダイオード２３を介してバッテリ１６に直流電圧が供給され、バッテリ電圧は徐々に上昇する。そして、このバッテリ１６の充電電圧が第１の電圧レベルＶ１よりも高い第２の電圧レベルＶ２に達すると、コンパレータ６０の出力端子は再び「Ｈ」レベルに転じ、バッテリ電圧検出信号Ｂｓも「Ｈ」レベルに復帰する。したがって、一定時間Ｔ後にタイマ手段３３のスイッチ５２がオンすると、交流電圧検出信号Ａｓは「Ｈ」レベルに転じて、充電器制御回路３１から「Ｈ」レベルの充電器停止信号が供給され、充電器１２の動作は停止する。すなわちここでも、不必要な充電を強制的に止めて消費電力の低減を図ることができる。
【００３４】
また本実施例では、充電器１２の動作を最小限に抑える関係で、リチウムイオン電池のバッテリ１６ではあるが少しずつ自己放電が生じるので、突発的な停電時にバッテリ１６に必要な電力を常に保持するために、定期トリクル充電機能を充電器制御回路３１に兼用させている。すなわち図３に示すように、バッテリ１６の自己放電によりバッテリ電圧が前記第１の電圧レベルＶ１にまで低下すると、充電器制御回路３１のバッテリ電圧検出回路３４がバッテリ電圧検出信号Ｂｓを「Ｌ」レベルに切換え、充電器１２を動作させる「Ｌ」レベルの充電器動作信号を、充電器１２に供給する。これを受けて充電器１２からバッテリ１６に直流電圧が供給され、バッテリ１６の充電が定期的に行なわれる。
【００３５】
その後、バッテリ１６の充電電圧が第１の電圧レベルＶ１よりも高い第２の電圧レベルＶ２に達すると、コンパレータ６０の出力端子は再び「Ｈ」レベルに転じ、バッテリ電圧検出信号Ｂｓも「Ｈ」レベルに復帰し、充電器制御回路３１から「Ｈ」レベルの充電器停止信号が供給され、充電器１２の動作は停止する。ここでの第２の電圧レベルＶ２は、バッテリ１６がほぼフル充電されるバッテリ電圧に設定する。バッテリ電圧検出信号Ｂｓの電圧レベルの切換わりに意図的にヒステリシスを持たせることにより、バッテリ１６をフル充電に近い状態で定期的に充電することが可能になる。
【００３６】
以上のように本実施例では、入力電圧（交流入力電圧）が正常である場合は、充電器１２によりバッテリ１６を充電し、交流入力電圧が低下若しくは停電すると、バッテリ１６から負荷に電力を供給する無停電電源装置において、バッテリ１６はリチウムイオン電池からなると共に、バッテリ１６の充電が完了すると、充電器１２の動作を停止させる充電器制御回路３１を備えている。
【００３７】
この場合、バッテリ１６はリチウムイオン電池からなるので、自己放電が殆どなく、常に充電させなくても寿命の低下は起こらない。こうしたバッテリ１６の特性を利用して、バッテリ１６の充電が完了すると、充電器１２の動作を停止させる充電器制御回路３１を設けると、バッテリ１６の充電が必要なときにのみ充電器１２が動作し、それ以外は充電器１２によるバッテリ１６への充電を停止するので、バッテリ１６の性能を劣化させずに、消費電力の低減を図ることができる。
【００３８】
バッテリ１６の充電が完了したか否かを判断する手段は幾つか考えられるが、とりわけ本実施例では、交流入力電圧が正常に立ち上がると、一定時間Ｔ後に充電器１２の動作を停止させるタイマ手段３３を充電器制御回路３１に備えている。
【００３９】
これは、バッテリ１６であるリチウムイオン電池の特性を利用している。リチウムイオン電池は、完全に放電した状態からフル充電になるまでの時間、すなわち充電が完了するまでの時間が安定しているので、バッテリ１６の充電が完了したか否かを判断する上で、バッテリ１６の充電電圧や充電電流を直接監視する必要がない。したがって、少なくともバッテリ１６の充電完了時間よりも長くタイマ手段３３の一定時間を設定するだけで、簡単な構成でありながら必要な時にのみバッテリ１６を確実に充電させることができる。
【００４０】
なお、代わりにバッテリ１６の充電電流が一定値以下になると、充電器１２の動作を停止させる動作停止手段を充電器制御回路３１に備えてもよい。
【００４１】
この場合は、バッテリ１６の充電が完了したか否かを、バッテリ１６自身の充電電流によって直接的に判断することができる。これにより、バッテリ１６の充電電流を検出するだけで、必要な時にのみバッテリ１６を確実に充電させることができる。
【００４２】
さらには、バッテリ１６の充電電圧が一定値以上になると、充電器１２の動作を停止させる動作停止手段を充電器制御回路に備えてもよい。
【００４３】
この場合は、バッテリの充電が完了したか否かを、バッテリ１６自身の充電電圧によって直接的に判断することができる。これにより、バッテリ１６の充電電圧を検出するだけで、必要な時にのみバッテリ１６を確実に充電させることができる。
【００４４】
さらに本実施例の無停電電源装置では、充電器１６の動作停止時にバッテリ１６の充電電圧が第１の電圧レベルにまで低下すると、充電器１６の動作を開始させるように、前記充電器制御回路３１を構成している。
【００４５】
バッテリ１６は必要な時にのみ充電されるので、長期未充電に起因する自己放電によりバッテリ１６の充電電圧が次第に低下する。したがって、バッテリ１６の充電電圧が第１の電圧レベルにまで低下したら、充電器１２の動作を開始させることで、バッテリ１６の充電を定期的に行なうことが可能になる。
【００４６】
とりわけ本実施例では、バッテリ１６の充電電圧が第１の電圧レベルにまで低下して、充電器１２の動作を開始させた後、バッテリ１６の充電電圧が第１の電圧レベルよりも高い第２の電圧レベルに上昇すると、再び充電器１２の動作を停止させるように充電器制御回路３１を構成している。
【００４７】
この場合、バッテリ１６の充電電圧が自己放電により低下して、第１の電圧レベルに達すると充電器１２による充電が開始する。そしてこの充電は、第１の電圧レベルよりも高い第２の電圧レベルにまでバッテリ１６の充電電圧が上昇するまで継続するので、バッテリ１６をフル充電に近い状態で定期的に充電することが可能になる。
【００４８】
なお、本発明は上記実施例に限定されるものではなく、種々の変形が可能である。例えば、充電器制御回路３１の論理構成（「Ｈ」レベル，「Ｌ」レベル）はあくまでも一例であり、素子の特性などを考慮して適宜変更してよい。さらには、図５に示すようなＤＣ−ＵＰＳに本実施例における充電器制御回路３１を付加してもよい。
【００４９】
【発明の効果】
本発明の請求項１の無停電電源装置では、必要のないバッテリへの充電を省いて消費電力の低減を図ると共に、バッテリの性能を劣化させないようにさせることができる。
【００５０】
本発明の請求項２の無停電電源装置では、簡単な構成でありながら必要な時にのみバッテリを確実に充電させることができる。
【００５１】
本発明の請求項３の無停電電源装置では、バッテリの充電電流を検出するだけで、必要な時にのみバッテリを確実に充電させることができる。
【００５２】
本発明の請求項４の無停電電源装置では、バッテリの充電電圧を検出するだけで、必要な時にのみバッテリを確実に充電させることができる。
【００５３】
本発明の請求項５の無停電電源装置では、バッテリの充電を定期的に行なうことが可能になる。
【００５４】
本発明の請求項６の無停電電源装置では、バッテリをフル充電に近い状態で定期的に充電することが可能になる。
【図面の簡単な説明】
【図１】本発明の一実施例を示す無停電電源装置の回路構成図である。
【図２】本発明の一実施例を示すタイマ動作のタイイングチャートである。
【図３】本発明の一実施例を示す各部のタイミングチャートである。
【図４】従来例を示す負荷に所望の交流電圧を供給する無停電電源装置（ＵＰＳ）のブロック構成図である。
【図５】従来例を示す負荷に所望の直流電圧を供給する無停電電源装置（ＤＣ−ＵＰＳ）のブロック構成図である。
【符号の説明】
１２　充電器
１６　バッテリ
３１　充電器制御回路
３３　タイマ手段
【図１】
2004064975.tif 000003
【図２】
2004064975.tif 000004
【図３】
2004064975.tif 000005
【図４】
2004064975.tif 000006
【図５】
2004064975.tif 000007